(57)【要約】【課題】操作者の操作負担を低減し、利便性を向上することができる無線タグ情報読み取り装置、無線タグ情報読み取りシステム、及びタグラベル作成装置を提供する。【解決手段】情報を記憶するＩＣ回路部１５０と情報の送受信を行うアンテナ１５１とを備えた無線タグ回路素子Ｔｏに対し無線通信を行い、情報の送受信を行うリーダライタＲＷであって、情報読み取り用の一般タグＴから取得した情報を記憶するための記憶部３１０と、情報送信先設定用の設定タグＴから送信先情報を取得し、この取得した送信先情報に基づき、記憶部３１０に記憶した情報の出力先を設定する制御回路３１１とを有する。【選択図】図２
2008134711.tif 000002
【特許請求の範囲】
【請求項１】
情報を記憶するＩＣ回路部と情報の送受信を行うタグ側アンテナとを備えた無線タグ回路素子に対し無線通信を行い、情報の送受信を行う無線タグ情報読み取り装置であって、
情報読み取り用の前記無線タグ回路素子から取得した情報を記憶するための読み取り情報記憶手段と、
情報振り分け先設定用の前記無線タグ回路素子から振り分け先情報を取得するための振り分け先情報取得手段と、
この振り分け先情報手段で取得した振り分け先情報に基づき、前記読み取り情報記憶手段に記憶した情報又はこれに対応する情報の出力先を設定するための情報振り分け手段と
を有することを特徴とする無線タグ情報読み取り装置。
【請求項２】
請求項１記載の無線タグ情報読み取り装置において、
複数の操作端末にそれぞれ対応した複数のアンテナユニットを接続可能に構成されており、
前記読み取り情報記憶手段は、
少なくとも１つの前記アンテナユニットを介し前記情報読み取り用の前記無線タグ回路素子から取得した情報を記憶し、
前記振り分け先情報取得手段は、
少なくとも１つの前記アンテナユニットを介し、前記情報振り分け先設定用の無線タグ回路素子から振り分け先情報を取得し、
前記情報振り分け手段は、
前記取得した振り分け先情報に基づき、前記読み取り情報記憶手段に記憶した情報又はこれに対応する情報を、前記複数の操作端末のうち対応する操作端末へ出力するように、前記出力先を設定する
ことを特徴とする無線タグ情報読み取り装置。
【請求項３】
請求項２記載の無線タグ情報読み取り装置において、
前記振り分け先情報取得手段は、
前記情報振り分け先設定用の無線タグ回路素子から、１つの前記アンテナユニットを介し取得された情報を、当該１つのアンテナユニットに対応する１つの前記操作端末に対応づける前記振り分け先情報を取得し、
前記情報振り分け手段は、
その取得した振り分け先情報に基づき、前記読み取り情報記憶手段に記憶した情報又はこれに対応する情報を、前記１つのアンテナユニットに対応した前記１つの操作端末へ出力するように、前記出力先を設定する
ことを特徴とする無線タグ情報読み取り装置。
【請求項４】
請求項２記載の無線タグ情報読み取り装置において、
前記振り分け先情報取得手段は、
前記情報振り分け先設定用の無線タグ回路素子から、１つの前記アンテナユニットを介し取得された情報を、複数の前記操作端末に対応づける前記振り分け先情報を取得し、
前記情報振り分け手段は、
その取得した振り分け先情報に基づき、前記読み取り情報記憶手段に記憶した情報又はこれに対応する情報を、前記１つのアンテナユニットに対応した前記複数の操作端末へ出力するように、前記出力先を設定する
ことを特徴とする無線タグ情報読み取り装置。
【請求項５】
請求項２記載の無線タグ情報読み取り装置において、
前記振り分け先情報取得手段は、
前記情報振り分け先設定用の無線タグ回路素子から、１つのアンテナユニット群に属する複数の前記アンテナユニットのいずれかを介し取得された情報を、前記１つのアンテナユニット群に対応した１つの操作端末群に属する複数の前記操作端末のそれぞれに対応づける前記振り分け先情報を取得し、
前記情報振り分け手段は、
その取得した振り分け先情報に基づき、前記読み取り情報記憶手段に記憶した情報又はこれに対応する情報を、前記１つの操作端末群に属する前記複数の操作端末へそれぞれ出力するように、前記出力先を設定する
ことを特徴とする無線タグ情報読み取り装置。
【請求項６】
請求項１乃至請求項５のいずれか１項記載の無線タグ情報読み取り装置において、
前記振り分け先情報取得手段は、
前記情報振り分け設定用の無線タグ回路素子の前記ＩＣ回路部に記憶された振り分け設定識別子に基づき、当該情報振り分け設定用無線タグ回路素子から前記振り分け先情報を取得する
ことを特徴とする無線タグ情報読み取り装置。
【請求項７】
請求項１乃至請求項６のいずれか１項記載の無線タグ情報読み取り装置において、
前記振り分け先情報取得手段が前記情報振り分け先設定用無線タグ回路素子から取得した前記振り分け先情報を記憶保持するための振り分け先情報記憶手段を有することを特徴とする無線タグ情報読み取り装置。
【請求項８】
請求項７記載の無線タグ情報読み取り装置において、
前記振り分け先情報記憶手段は、
前記振り分け先情報取得手段が前記情報振り分け先設定用無線タグ回路素子から前記振り分け先情報を新たに取得したときに、既に記憶保持している前記振り分け先情報を当該新たに取得した振り分け先情報に置き換えて記憶保持する
ことを特徴とする無線タグ情報読み取り装置。
【請求項９】
請求項７又は請求項８記載の無線タグ情報読み取り装置において、
情報初期化用の前記無線タグ回路素子から前記振り分け先情報を初期化するための初期化情報を取得するための初期化情報取得手段と、
この初期化情報取得手段で取得した前記初期化情報に基づき、前記振り分け先情報記憶手段に既に記憶保持している前記振り分け先情報を初期化する初期化処理手段と
を有することを特徴とする無線タグ情報読み取り装置。
【請求項１０】
請求項９記載の無線タグ情報読み取り装置において、
前記初期化情報取得手段は、
前記情報初期化用無線タグ回路素子から、前記振り分け先情報のうち特定の前記出力先に関する部分を初期化するための前記初期化情報を取得し、
前記初期化処理手段は、
前記初期化情報取得手段で取得した前記初期化情報に基づき、前記振り分け先情報記憶手段に既に記憶保持している前記振り分け先情報のうち、前記特定の出力先に関する部分を初期化する
ことを特徴とする無線タグ情報読み取り装置。
【請求項１１】
請求項９又は請求項１０記載の無線タグ情報読み取り装置において、
前記初期化情報取得手段は、
前記タグ側アンテナの利得が、前記情報読み取り用無線タグ回路素子及び前記情報振り分け設定用無線タグ回路素子よりも低い、前記情報初期化用無線タグ回路素子より前記初期化情報を取得する
ことを特徴とする無線タグ情報読み取り装置。
【請求項１２】
請求項９乃至請求項１１のいずれか１項記載の無線タグ情報読み取り装置において、
前記初期化処理手段による前記振り分け先情報の初期化の実行後、前記情報初期化用無線タグ回路素子に記憶された前記初期化情報を無効化するための無効化処理手段を有する
ことを特徴とする無線タグ情報読み取り装置。
【請求項１３】
情報を記憶するＩＣ回路部と情報の送受信を行うタグ側アンテナとを備えたラベル用の無線タグ回路素子を配置したタグ媒体を用いて無線タグラベルを作成するタグラベル作成装置であって、
前記タグ媒体を搬送する搬送手段と、
前記ラベル用無線タグ回路素子に対し、無線通信を介し情報の送受信を行うための装置側アンテナと、
前記無線タグラベルに対し無線タグ情報読み取り装置で情報読み取りが行われたとき、前記無線タグ情報読み取り装置で記憶保持した情報の出力先を設定するための振り分け先情報を、前記装置側アンテナを介し前記ラベル用無線タグ回路素子の前記ＩＣ回路部に対し書き込むための書き込み制御手段と
を有することを特徴とするタグラベル作成装置。
【請求項１４】
請求項１３記載のタグラベル作成装置において、
通信回線を介して複数の操作端末に接続可能に構成されており、
前記書き込み制御手段は、前記操作端末の前記通信回線における場所情報に基づき自動的に設定した前記振り分け先情報を、前記装置側アンテナを介し前記ラベル用無線タグ回路素子の前記ＩＣ回路部に対し書き込む
ことを特徴とするタグラベル作成装置。
【請求項１５】
無線タグ情報読み取り装置と、この無線タグ情報読み取り装置に接続可能な複数のアンテナユニットと、これら複数のアンテナユニットにそれぞれ対応した複数の操作端末とを有する無線タグ情報読み取りシステムであって、
前記アンテナユニットは、
情報を記憶するＩＣ回路部と情報の送受信を行うタグ側アンテナとを備えた無線タグ回路素子に対し無線通信を行って情報の送受信を行い、
前記無線タグ情報読み取り装置は、
少なくとも１つの前記アンテナユニットを介し、情報読み取り用の前記無線タグ回路素子から取得した情報を記憶するための読み取り情報記憶手段と、
少なくとも１つの前記アンテナユニットを介し、情報振り分け先設定用の前記無線タグ回路素子から振り分け先情報を取得するための振り分け先情報取得手段と、
この振り分け先情報手段で取得した振り分け先情報に基づき、前記読み取り情報記憶手段に記憶した情報又はこれに対応する情報を、前記複数の操作端末のうち対応する操作端末へ出力するように、出力先を設定するための情報振り分け手段とを備える
ことを特徴とする無線タグ情報読み取りシステム。
【発明の詳細な説明】
【技術分野】
【０００１】
本発明は、非接触で情報の読み取り／書き込みを行える無線タグ回路素子の無線タグ情報を読み取るための無線タグ情報読み取り装置、この無線タグ情報読み取り装置を備えた無線タグ情報読み取りシステム、及び無線タグ回路素子を備えた無線タグラベルを作成するためのタグラベル作成装置に関する。
【背景技術】
【０００２】
小型の無線タグとリーダ（読み取り装置）／ライタ（書き込み装置）との間で非接触で情報の読み取り／書き込みを行うＲＦＩＤ（Ｒａｄｉｏ  Ｆｒｅｑｕｅｎｃｙ  Ｉｄｅｎｔｉｆｉｃａｔｉｏｎ）システムが知られている。例えばラベル状の無線タグに備えられた無線タグ回路素子は、所定の無線タグ情報を記憶するＩＣ回路部とこのＩＣ回路部に接続されて情報の送受信を行うアンテナとを備えている。リーダのアンテナより無線タグ回路素子に対し送信波の送信を行うと、無線タグ回路素子はその送信波の電波のもつエネルギを利用して返答の送信を行う。このようなリーダを用いて無線タグ回路素子から情報読み取りを行う従来技術として、例えば特許文献１記載のものがある。
【０００３】
この従来技術は、操作端末（ＰＣ）とリーダとを接続し、操作端末で所定の操作を行うことにより、リーダよりファイルや人間に所持された無線タグ回路素子の記憶情報を読み取って取得するものである。
【０００４】
一方、例えば、このような無線タグ回路素子に無線タグ情報を書き込んで無線タグラベルを作成する無線タグラベル作成装置が既に提唱されている（例えば、特許文献２参照）。この従来技術では、所定間隔で無線タグ回路素子が設けられた帯状のタグテープ（基材テープ）がタグテープロール（第１ロール）から繰り出されるとともに、別のロール（第２ロール）から繰り出された被印字テープが上記タグテープに貼り合わされる。このとき、上記タグテープの無線タグ回路素子には装置側で生成した所定の無線タグ情報が送信されてＩＣ回路部に書き込まれ、被印字テープにはその書き込まれる無線タグ情報に対応した印字が印字手段によって行われ、これによって印字つきの無線タグラベルが作成されるようになっている。
【０００５】
【特許文献１】特開２００５−２９８１００号公報
【特許文献２】特開２００５−１８６５６７号公報
【発明の開示】
【発明が解決しようとする課題】
【０００６】
一般に、上記特許文献２に記載のようなタグラベル作成装置で作成された無線タグラベルは、管理対象（物品等）に貼り付けられる等、関連付けられて設けられる。そして、上記特許文献１記載のようなリーダにより、上記商品等に設けられた無線タグラベルから無線タグ情報が読み取られて、商品に関する情報を入手して当該商品の管理等が行われる。
【０００７】
ここで、一般にリーダにより無線タグラベルから読み取られた無線タグ情報は、リーダからＬＡＮ等のネットワークを介してＰＣ端末や情報サーバ等に送信される。このとき、ネットワークに複数のＰＣ端末やサーバ等が接続されている場合、リーダからの情報の送信先が複数箇所存在することになる。このような場合、リーダに対し操作者が無線タグ情報の送信先を手動設定する必要があり、手間を要していた。
【０００８】
本発明の目的は、操作者の操作負担を低減し、利便性を向上することができる無線タグ情報読み取り装置、無線タグ情報読み取りシステム、及びタグラベル作成装置を提供することにある。
【課題を解決するための手段】
【０００９】
上記目的を達成するために、第１の発明は、情報を記憶するＩＣ回路部と情報の送受信を行うタグ側アンテナとを備えた無線タグ回路素子に対し無線通信を行い、情報の送受信を行う無線タグ情報読み取り装置であって、情報読み取り用の前記無線タグ回路素子から取得した情報を記憶するための読み取り情報記憶手段と、情報振り分け先設定用の前記無線タグ回路素子から振り分け先情報を取得するための振り分け先情報取得手段と、この振り分け先情報手段で取得した振り分け先情報に基づき、前記読み取り情報記憶手段に記憶した情報又はこれに対応する情報の出力先を設定するための情報振り分け手段とを有することを特徴とする。
【００１０】
本願第１発明の無線タグ情報読み取り装置においては、情報読み取り用の無線タグ回路素子から情報が取得され、その取得された情報を読み取り情報記憶手段が記憶する。一方、振り分け先情報取得手段が情報振り分け設定用の無線タグ回路素子から振り分け先情報を取得する。そして、この取得された振り分け先情報に基づき、情報振り分け手段が出力先を設定することにより、上記読み取り情報記憶手段に記憶された情報（又はこれに対応する情報）はその設定された出力先へと出力される。
【００１１】
このようにして、情報読み取り用の無線タグ回路素子から取得された情報の出力先が（例えば複数箇所存在する等で）不定の場合であっても、情報振り分け設定用の無線タグ回路素子に対し情報読み取りを行い振り分け先情報を取得することで、操作者がいちいち煩雑な手動設定を行わなくても自動的に出力先を設定することができる。この結果、操作者の操作負担を低減し、利便性を向上することができる。
【００１２】
第２の発明は、上記第１発明において、複数の操作端末にそれぞれ対応した複数のアンテナユニットを接続可能に構成されており、前記読み取り情報記憶手段は、少なくとも１つの前記アンテナユニットを介し前記情報読み取り用の前記無線タグ回路素子から取得した情報を記憶し、前記振り分け先情報取得手段は、少なくとも１つの前記アンテナユニットを介し、前記情報振り分け先設定用の無線タグ回路素子から振り分け先情報を取得し、前記情報振り分け手段は、前記取得した振り分け先情報に基づき、前記読み取り情報記憶手段に記憶した情報又はこれに対応する情報を、前記複数の操作端末のうち対応する操作端末へ出力するように、前記出力先を設定することを特徴とする。
【００１３】
本願第２発明の無線タグ情報読み取り装置においては、操作端末に対応して配置されたアンテナユニットを介して情報読み取り用の無線タグ回路素子から情報が取得され、その取得された情報を読み取り情報記憶手段が記憶する。一方、振り分け先情報取得手段がアンテナユニットを介し情報振り分け設定用の無線タグ回路素子から振り分け先情報を取得する。そして、この取得された振り分け先情報に基づき、情報振り分け手段が出力先を複数の上記操作端末のうち対応するものへと設定することにより、上記読み取り情報記憶手段に記憶された情報（又はこれに対応する情報）はその設定された操作端末へと出力される。
【００１４】
このようにして、複数の操作端末が接続され、情報読み取り用の無線タグ回路素子から取得された情報の出力先がそれら複数の操作端末のうちどれであるかが不定の場合であっても、情報振り分け設定用の無線タグ回路素子に対し情報読み取りを行い振り分け先情報を取得することで、操作者がいちいち煩雑な手動設定を行わなくても自動的に該当する操作端末を出力先として設定することができる。この結果、操作者の操作負担を低減し、利便性を向上することができる。
【００１５】
第３の発明は、上記第２発明において、前記振り分け先情報取得手段は、前記情報振り分け先設定用の無線タグ回路素子から、１つの前記アンテナユニットを介し取得された情報を、当該１つのアンテナユニットに対応する１つの前記操作端末に対応づける前記振り分け先情報を取得し、前記情報振り分け手段は、その取得した振り分け先情報に基づき、前記読み取り情報記憶手段に記憶した情報又はこれに対応する情報を、前記１つのアンテナユニットに対応した前記１つの操作端末へ出力するように、前記出力先を設定することを特徴とする。
【００１６】
これにより、１つのアンテナユニットと１つの操作端末とを対応付け、あるアンテナユニットを介し読み取り用無線タグ回路素子から取得された情報を、当該アンテナユニットに対応した操作端末へと出力することができる。
【００１７】
第４の発明は、上記第２発明において、前記振り分け先情報取得手段は、前記情報振り分け先設定用の無線タグ回路素子から、１つの前記アンテナユニットを介し取得された情報を、複数の前記操作端末に対応づける前記振り分け先情報を取得し、前記情報振り分け手段は、その取得した振り分け先情報に基づき、前記読み取り情報記憶手段に記憶した情報又はこれに対応する情報を、前記１つのアンテナユニットに対応した前記複数の操作端末へ出力するように、前記出力先を設定することを特徴とする。
【００１８】
これにより、１つのアンテナユニットに対し複数の操作端末を対応付け、あるアンテナユニットを介し読み取り用無線タグ回路素子から取得された情報を、当該アンテナユニットに対応した複数の操作端末それぞれへと出力することができる。
【００１９】
第５の発明は、上記第２発明において、前記振り分け先情報取得手段は、前記情報振り分け先設定用の無線タグ回路素子から、１つのアンテナユニット群に属する複数の前記アンテナユニットのいずれかを介し取得された情報を、前記１つのアンテナユニット群に対応した１つの操作端末群に属する複数の前記操作端末のそれぞれに対応づける前記振り分け先情報を取得し、前記情報振り分け手段は、その取得した振り分け先情報に基づき、前記読み取り情報記憶手段に記憶した情報又はこれに対応する情報を、前記１つの操作端末群に属する前記複数の操作端末へそれぞれ出力するように、前記出力先を設定することを特徴とする。
【００２０】
これにより、１つのアンテナユニット群を構成する複数のアンテナユニットと、１つの操作端末群を構成する複数の操作端末とを対応付け、あるアンテナユニット群のいずれかのアンテナユニットを介し読み取り用無線タグ回路素子から取得された情報を、当該アンテナユニット群に対応した操作端末群に含まれる複数の操作端末へと出力することができる。
【００２１】
第６の発明は、上記第１乃至第５発明のいずれかにおいて、前記振り分け先情報取得手段は、前記情報振り分け設定用の無線タグ回路素子の前記ＩＣ回路部に記憶された振り分け設定識別子に基づき、当該情報振り分け設定用無線タグ回路素子から前記振り分け先情報を取得することを特徴とする。
【００２２】
振り分け設定用の無線タグ回路素子のＩＣ回路部に振り分け設定識別子が備えられることで、これを用いて振り分け先情報取得手段が振り分け設定用無線タグ回路素子を他の（情報読み取り用無線タグ回路素子等）無線タグ回路素子と区別して、振り分け先情報の取得を確実に行うことができる。
【００２３】
第７の発明は、上記第１乃至第６発明のいずれかにおいて、前記振り分け先情報取得手段が前記情報振り分け先設定用無線タグ回路素子から取得した前記振り分け先情報を記憶保持するための振り分け先情報記憶手段を有することを特徴とする。
【００２４】
振り分け先情報記録手段に振り分け先情報を記憶保持しておくことができるので、一度振り分け先情報取得手段で振り分け先情報が取得された後記憶保持されている間は、新たに情報振り分け先設定用無線タグ回路素子から振り分け先情報を取得し直さなくても、自動的に出力先を設定することができる。
【００２５】
第８の発明は、上記第７発明において、前記振り分け先情報記憶手段は、前記振り分け先情報取得手段が前記情報振り分け先設定用無線タグ回路素子から前記振り分け先情報を新たに取得したときに、既に記憶保持している前記振り分け先情報を当該新たに取得した振り分け先情報に置き換えて記憶保持することを特徴とする。
【００２６】
これにより、新たに情報振り分け先設定用無線タグ回路素子から振り分け先情報を取得する度、その新しい振り分け先情報に置き換えられるので、直近の取得内容へと情報更新を図ることができる。したがって、一度設定された情報出力先を別のものに変えたい場合等において、容易にその変更を行うことができ、利便性をさらに向上できる。また一度設定された情報出力先に対し、所定周期でエラーが生じたり不適合化していないかチェックをすることも可能である。
【００２７】
第９の発明は、上記第７又は第８発明において、情報初期化用の前記無線タグ回路素子から前記振り分け先情報を初期化するための初期化情報を取得するための初期化情報取得手段と、この初期化情報取得手段で取得した前記初期化情報に基づき、前記振り分け先情報記憶手段に既に記憶保持している前記振り分け先情報を初期化する初期化処理手段とを有することを特徴とする。
【００２８】
これにより、情報振り分け設定用無線タグ回路素子を用いていったん設定された振り分け先情報をクリアすることができる。したがって、一度設定された情報出力先を白紙に戻したい場合等において、容易にその初期化を行うことができ、利便性をさらに向上できる。
【００２９】
第１０の発明は、上記第９発明において、前記初期化情報取得手段は、前記情報初期化用無線タグ回路素子から、前記振り分け先情報のうち特定の前記出力先に関する部分を初期化するための前記初期化情報を取得し、前記初期化処理手段は、前記初期化情報取得手段で取得した前記初期化情報に基づき、前記振り分け先情報記憶手段に既に記憶保持している前記振り分け先情報のうち、前記特定の出力先に関する部分を初期化することを特徴とする。
【００３０】
これにより、特定の端末等、全体のうちのある部分的な出力先に関してのみ、出力先としての記録を削除することができるので、操作者のニーズに応じたさらに細かい設定操作が可能となる。
【００３１】
第１１の発明は、上記第９又は第１０発明において、前記初期化情報取得手段は、前記タグ側アンテナの利得が、前記情報読み取り用無線タグ回路素子及び前記情報振り分け設定用無線タグ回路素子よりも低い、前記情報初期化用無線タグ回路素子より前記初期化情報を取得することを特徴とする。
【００３２】
情報初期化用無線タグ回路素子の利得を、それ以外の情報読み取り用無線タグ回路素子や情報振り分け設定用無線タグ回路素子よりも低くすることにより、本来初期化する意図ではないのに操作者が誤って情報初期化用無線タグ回路素子を取り扱って初期化情報を装置側に取得させ、振り分け先情報を初期化してしまうのを低減することができる。
【００３３】
第１２の発明は、上記第９乃至第１１発明のいずれかにおいて、前記初期化処理手段による前記振り分け先情報の初期化の実行後、前記情報初期化用無線タグ回路素子に記憶された前記初期化情報を無効化するための無効化処理手段を有することを特徴とする。
【００３４】
一度初期化を実行した情報初期化用無線タグ回路素子の情報初期化機能を無効化することにより、その後操作者が誤って情報初期化用無線タグ回路素子を取り扱い振り分け先情報を初期化してしまうのを確実に防止することができる。
【００３５】
上記目的を達成するために、第１３の発明は、情報を記憶するＩＣ回路部と情報の送受信を行うタグ側アンテナとを備えたラベル用の無線タグ回路素子を配置したタグ媒体を用いて無線タグラベルを作成するタグラベル作成装置であって、前記タグ媒体を搬送する搬送手段と、前記ラベル用無線タグ回路素子に対し、無線通信を介し情報の送受信を行うための装置側アンテナと、前記無線タグラベルに対し無線タグ情報読み取り装置で情報読み取りが行われたとき、前記無線タグ情報読み取り装置で記憶保持した情報の出力先を設定するための振り分け先情報を、前記装置側アンテナを介し前記ラベル用無線タグ回路素子の前記ＩＣ回路部に対し書き込むための書き込み制御手段とを有することを特徴とする。
【００３６】
本願第１３発明のタグラベル作成装置においては、搬送手段でタグ媒体が搬送され、そのタグ媒体に備えられた無線タグ回路素子に対し、装置側アンテナを介し書き込み制御手段で振り分け先情報が書き込まれて、無線タグラベルが作成される。これにより、この作成された無線タグラベルに対して後に無線タグ情報読み取り装置で情報読み取りを行い、振り分け先情報を取得することで、無線タグ情報読み取り装置で記憶保持した情報の出力先を自動で設定することが可能となる。したがって、無線タグ情報読み取り装置で記憶保持された情報の出力先が（例えば複数箇所存在する等で）不定の場合であっても、操作者がいちいち煩雑な手動設定を行わなくても自動的に出力先を設定することができる。この結果、操作者の操作負担を低減し、利便性を向上することができる。
【００３７】
第１４の発明は、上記第１３発明において、通信回線を介して複数の操作端末に接続可能に構成されており、前記書き込み制御手段は、前記操作端末の前記通信回線における場所情報に基づき自動的に設定した前記振り分け先情報を、前記装置側アンテナを介し前記ラベル用無線タグ回路素子の前記ＩＣ回路部に対し書き込むことを特徴とする。
【００３８】
本願第１４発明においては、タグラベル作成装置が通信回線を介して複数の操作端末に接続されており、当該操作端末の通信回線における場所情報（ＩＰアドレス等）に基づき、振り分け先情報を自動的に設定する。そして、書き込み制御手段で装置側アンテナを介し上記設定した振り分け先情報を無線タグ回路素子に書き込み、無線タグラベルを作成する。このようにして、振り分け先情報を自動設定可能とすることにより、操作者が操作端末等を介して振り分け先情報を入力する手間が省けるので、操作者の操作負担をさらに低減し、利便性をさらに向上することができる。
【００３９】
上記目的を達成するために、第１５の発明は、無線タグ情報読み取り装置と、この無線タグ情報読み取り装置に接続可能な複数のアンテナユニットと、これら複数のアンテナユニットにそれぞれ対応した複数の操作端末とを有する無線タグ情報読み取りシステムであって、前記アンテナユニットは、情報を記憶するＩＣ回路部と情報の送受信を行うタグ側アンテナとを備えた無線タグ回路素子に対し無線通信を行って情報の送受信を行い、前記無線タグ情報読み取り装置は、少なくとも１つの前記アンテナユニットを介し、情報読み取り用の前記無線タグ回路素子から取得した情報を記憶するための読み取り情報記憶手段と、少なくとも１つの前記アンテナユニットを介し、情報振り分け先設定用の前記無線タグ回路素子から振り分け先情報を取得するための振り分け先情報取得手段と、この振り分け先情報手段で取得した振り分け先情報に基づき、前記読み取り情報記憶手段に記憶した情報又はこれに対応する情報を、前記複数の操作端末のうち対応する操作端末へ出力するように、出力先を設定するための情報振り分け手段とを備える
ことを特徴とする。
【００４０】
本願第１５発明の無線タグ情報読み取りシステムにおいては、操作端末に対応して配置されたアンテナユニットを介して情報読み取り用の無線タグ回路素子から無線タグ情報読み取り装置で情報が取得され、その取得された情報を読み取り情報記憶手段が記憶する。一方、振り分け先情報取得手段がアンテナユニットを介し情報振り分け設定用の無線タグ回路素子から振り分け先情報を取得する。そして、この取得された振り分け先情報に基づき、情報振り分け手段が出力先を複数の上記操作端末のうち対応するものへと設定することにより、上記読み取り情報記憶手段に記憶された情報（又はこれに対応する情報）はその設定された操作端末へと出力される。
【００４１】
このようにして、複数の操作端末が無線タグ情報読み取り装置に接続され、情報読み取り用の無線タグ回路素子から無線タグ情報読み取り装置において取得された情報の出力先がそれら複数の操作端末のうちどれであるかが不定の場合であっても、情報振り分け設定用の無線タグ回路素子に対し情報読み取りを行い振り分け先情報を取得することで、操作者がいちいち煩雑な手動設定を行わなくても自動的に該当する操作端末を出力先として設定することができる。この結果、操作者の操作負担を低減し、利便性を向上することができる。
【発明の効果】
【００４２】
本発明によれば、操作者の操作負担を低減し、利便性を向上することができる。
【発明を実施するための最良の形態】
【００４３】
以下、本発明の一実施の形態を図面を参照しつつ説明する。
【００４４】
図１は、本実施形態のリーダライタＲＷを有する無線タグ情報読み取りシステム１の全体構成を表すシステム構成図である。
【００４５】
図１において、無線タグ情報読み取りシステム１は、情報を記憶するＩＣ回路部１５０とこのＩＣ回路部１５０に接続されるアンテナ１５１（タグ側アンテナ）とを備えた無線タグ回路素子Ｔｏ（後述の図５参照）を有する無線タグラベルＴを作成すると共に、作成した無線タグラベルＴの無線タグ回路素子Ｔｏから無線タグ情報を読み出すリーダとしての機能を有する上記リーダライタＲＷ（無線タグ情報読み取り装置、タグラベル作成装置）と、このリーダライタＲＷと例えばＵＳＢケーブル等の接続手段２を介して接続され、上記無線タグ回路素子Ｔｏから無線タグ情報を読み取るためのパッチアンテナであるアンテナ３０６Ｒを有する複数（本例では３つ）のアンテナユニット３００と、上記リーダライタＲＷと有線あるいは無線による通信回線ＮＷを介し接続され、表示部１０１及び操作部１０２を有する複数（本例では３つ）のＰＣ端末１００（操作端末）とを有している。
【００４６】
上記ＰＣ端末１００とアンテナユニット３００は、それぞれ１台ずつが対応するように（例えばユーザのデスク上に）配置されており、上記アンテナユニット３００のアンテナ３０６Ｒを介して読み取られた無線タグ情報は、リーダライタＲＷにより当該アンテナユニット３００と対応する（例えば同じデスク上の）ＰＣ端末１００に通信回線ＮＷを介して送信されるようになっている。
【００４７】
上記リーダライタＲＷは、アンテナユニット３００を接続するための接続端子（図示せず）を複数有しており、所定の台数までアンテナユニット３００を増設可能となっている。アンテナユニット３００を増設した場合には、当該アンテナユニット３００のアンテナ３０６Ｒを介して読み取った無線タグ情報の送信先の設定が行われる（詳細は後述）。なお、上記リーダライタＲＷとアンテナユニット３００との接続には、複数の接続端子を有する外部集線機器を用いてもよい。
【００４８】
上記ＰＣ端末１００は、上述したように表示部１０１及び操作部１０２を有しており、ユーザは表示部１０１に表示された表示画面を参照しつつ、操作部１０２を用いてリーダライタＲＷに対する種々の指令入力や各種情報の入力を行うことが可能となっている。
【００４９】
図２は、上記リーダライタＲＷの全体構成を概念的に表す全体構成図である。
【００５０】
図２において、リーダライタＲＷは、上記のようにリーダとしての機能及び無線タグラベル作成機能を備えている。すなわち、リーダライタＲＷは、外部の無線タグ回路素子Ｔｏとの間で無線通信により情報の送受信を行い無線タグ情報の読み取りを行う高周波回路３０１Ｒと、所定間隔で無線タグ回路素子Ｔｏが備えられたタグテープ３０３（タグ媒体）を巻回したタグテープロール３０４（本来は渦巻であるが簡略化して同心円で図示している。）と、このタグテープロール３０４から繰り出されたタグテープ３０３のうち各無線タグ回路素子Ｔｏに対応した領域に所定の印字を行う印字ヘッド３０５と、タグテープ３０３を搬送する搬送ローラ３０８（搬送手段）と、無線タグ回路素子Ｔｏとの間で無線通信により情報の送受信を行い無線タグ情報の書き込みを行うアンテナ３０６Ｗ（装置側アンテナ）及び高周波回路３０１Ｗと、タグテープ３０３への印字及び無線タグ回路素子Ｔｏへの情報書き込みが終了したタグテープ３０３を所定の長さに切断して前述の無線タグラベルＴとするカッタ３０７と、上記複数のＰＣ端末１００と通信回線ＮＷを介して行われる通信の制御を行うインターフェース制御部３０９と、アンテナユニット３００を介して読み取られた無線タグ情報の送信先情報等を記憶するための不揮発性の記憶部３１０（読み取り情報記憶手段、振り分け先情報記憶手段）と、以上の高周波回路３０１Ｒ，３０１Ｗ、印字ヘッド３０５、カッタ３０７、搬送ローラ３０８、インターフェース制御部３０９、及び記憶部３１０等の制御を行う制御回路３１１とを有する。
表示部３０９への表示制御信号等を出力する。
【００５１】
図３は、上記リーダライタＲＷの制御系の構成を表す機能ブロック図である。なお、高周波回路３０１Ｗ，３０１Ｒは同等の構成であるので、この図３においては同一の回路で図示している。
【００５２】
図３において、高周波回路３０１Ｗ（または高周波回路３０１Ｒ。以下対応関係同じ）は、アンテナ３０６Ｗ（またはアンテナ３０６Ｒ）を介し無線タグ回路素子Ｔｏに対して信号を送信する送信部３１２と、アンテナ３０６Ｗ（またはアンテナ３０６Ｒ）により受信された無線タグ回路素子Ｔｏからの反射波を入力する受信部３１３と、送受分離器３１４とから構成される。
【００５３】
送信部３１２は、無線タグ回路素子ＴｏのＩＣ回路部１５０の無線タグ情報を読み取るための搬送波を発生させる水晶振動子３３０、制御回路３１１の制御により所定の周波数の信号を発生させるＰＬＬ（Ｐｈａｓｅ  Ｌｏｃｋｅｄ  Ｌｏｏｐ）３３１、及びＶＣＯ（Ｖｏｌｔａｇｅ  Ｃｏｎｔｒｏｌｌｅｄ  Ｏｓｃｉｌｌａｔｏｒ）３３２と、上記制御回路３１１から供給される信号に基づいて上記発生させられた搬送波を変調（この例では制御回路３１１からの「ＴＸ＿ＡＳＫ」信号に基づく振幅変調）する送信乗算回路３１６（但し「ＴＸ＿ＡＳＫ信号」の場合は増幅率可変アンプ等を用いてもよい）と、その送信乗算回路３１６により変調された変調波を増幅（この例では制御回路３１１からの「ＴＸ＿ＰＷＲ」信号によって増幅率を決定される増幅）する送信アンプ３１７とを備えている。そして、上記発生される搬送波は、好適にはＵＨＦ帯、マイクロ波帯、あるいは短波帯の周波数を用いており、上記送信アンプ３１７の出力は、送受分離器３１４を介しアンテナ３０６Ｗ（またはアンテナ３０６Ｒ）に伝達されて、無線タグ回路素子ＴｏのＩＣ回路部１５０に供給される。なお、無線タグ情報は上記のように変調した信号に限られず、単なる搬送波のみの場合もある。
【００５４】
受信部３１３は、アンテナ３０６Ｗ（またはアンテナ３０６Ｒ）で受信された無線タグ回路素子Ｔｏからの反射波と上記発生させられた搬送波とを乗算して復調する受信第１乗算回路３１８と、その受信第１乗算回路３１８の出力から必要な帯域の信号のみを取り出すための第１バンドパスフィルタ３１９と、この第１バンドパスフィルタ３１９の出力を増幅する受信第１アンプ３２１と、この受信第１アンプ３２１の出力をさらに増幅してデジタル信号に変換する第１リミッタ３２０と、上記アンテナ３０６Ｗ（またはアンテナ３０６Ｒ）で受信された無線タグ回路素子Ｔｏからの反射波と上記発生された後に移相器３２７により位相を９０°遅らせた搬送波とを乗算する受信第２乗算回路３２２と、その受信第２乗算回路３２２の出力から必要な帯域の信号のみを取り出すための第２バンドパスフィルタ３２３と、この第２バンドパスフィルタ３２３の出力を増幅する受信第２アンプ３２５と、この受信第２アンプ３２５の出力をさらに増幅してデジタル信号に変換する第２リミッタ３２４とを備えている。そして、上記第１リミッタ３２０から出力される信号「ＲＸＳ−Ｉ」及び第２リミッタ３２４から出力される信号「ＲＸＳ−Ｑ」は、上記制御回路３１１に入力されて処理される。
【００５５】
また、受信第１アンプ３２１及び受信第２アンプ３２５の出力は、強度検出手段としてのＲＳＳＩ（Ｒｅｃｅｉｖｅｄ  Ｓｉｇｎａｌ  Ｓｔｒｅｎｇｔｈ  Ｉｎｄｉｃａｔｏｒ）回路３２６にも入力され、それらの信号の強度を示す信号「ＲＳＳＩ」が制御回路３１１に入力されるようになっている。このようにして、本実施形態のリーダライタＲＷでは、Ｉ−Ｑ直交復調によって無線タグ回路素子Ｔｏからの反射波の復調が行われる。
【００５６】
また、制御回路３１１は、上記インターフェース制御部３０９の通信制御により複数のＰＣ端末１００との通信回線ＮＷを介した情報の送受信を行うと共に、上記記憶部３１０に対し情報の書き込み及び読み出しを行う。
【００５７】
図４は、上記制御回路３１１の詳細機能を表す機能ブロック図である。
【００５８】
図４において、制御回路３１１は、いわゆるマイクロコンピュータであり、中央演算処理装置であるＣＰＵ３１１Ａ、ＲＯＭ３１１Ｂ、ＲＡＭ３１１Ｃ、高周波回路３０１Ｗ，３０１Ｒとの信号送受を行う回路制御部３１１Ｄ等から構成され、ＲＡＭ３１１Ｃの一時記憶機能を利用しつつＲＯＭ３１１Ｂに予め記憶されたプログラムに従って信号処理を行うようになっている。
【００５９】
図５は、タグテープ３０３及び無線タグラベルＴに備えられた上記無線タグ回路素子Ｔｏの機能的構成の一例を表すブロック図である。
【００６０】
図５において、無線タグ回路素子Ｔｏは、リーダライタＲＷのアンテナ３０６Ｗ（またはアンテナ３０６Ｒ）と非接触で信号の送受信を行う上記アンテナ１５１と、このアンテナ１５１に接続された上記ＩＣ回路部１５０とをそれぞれ有している。
【００６１】
ＩＣ回路部１５０は、アンテナ１５１により受信された搬送波を整流する整流部１５２と、この整流部１５２により整流された搬送波のエネルギを蓄積しＩＣ回路部１５０の駆動電源とするための電源部１５３と、上記アンテナ１５１により受信された搬送波からクロック信号を抽出して後述する制御部１５７に供給するクロック抽出部１５４と、所定の情報信号を記憶し得る情報記憶部として機能するメモリ部１５５と、上記アンテナ１５１に接続された変復調部１５６と、上記整流部１５２、クロック抽出部１５４及び変復調部１５６等を介して上記無線タグ回路素子Ｔｏの作動を制御するための制御部１５７とを備えている。
【００６２】
変復調部１５６は、アンテナ１５１により受信された上記リーダライタＲＷのアンテナ３０６Ｗ（またはアンテナ３０６Ｒ）からの通信信号の復調を行うと共に、上記制御部１５７からの返信信号に基づき、アンテナ１５１が受信した搬送波を変調し、アンテナ１５１より反射波として再送信する。制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００６３】
クロック抽出部１５４は受信した信号からクロック成分を抽出して制御部１５７にクロックを抽出するものであり、受信した信号のクロック成分の速度に対応したクロックを制御部１５７に供給する。
【００６４】
上記構成の無線タグ情報読み取りシステム１において、例えばアンテナユニット３００を新たに増設した場合等、アンテナユニット３００で読み取った無線タグ情報の送信先の設定を行う際には、当該設定を行うアンテナユニット３００をリーダライタＲＷに接続した上で、ユーザはまずＰＣ端末１００の操作部１０２を用いて必要な情報を入力し、リーダライタＲＷで送信先情報が書き込まれた設定用の無線タグラベルＴ（以下、適宜「設定タグＴ」と記載）を作成する。次に、その作成した無線タグラベルＴを情報送信先の設定対象であるアンテナユニット３００に近づけて無線タグ情報を読み取らせることにより、リーダライタＲＷでそのアンテナユニット３００の情報送信先が設定され、アンテナユニット３００と送信先情報とが対応づけられて記憶される。これにより、その後情報の送信先が設定されたアンテナユニット３００で情報読み取り用の無線タグラベルＴ（以下、適宜「一般タグＴ」と記載）から読み取られた無線タグ情報は、設定された送信先に送信される。
【００６５】
図６は、上記設定用の無線タグラベルＴを作成する際にリーダライタＲＷの制御回路３１１によって実行される制御手順を表すフローチャートである。
【００６６】
図６において、まずステップＳ１０５において、設定タグＴの作成指示の入力があったか否かを判定する。この判定は、ユーザがＰＣ端末１００の操作部１０２を用いて設定タグの作成指示入力を行うことにより、その指令信号が入力されたか否かを判定することにより行う。作成開始指示入力があるまで本ステップを繰り返し、入力があると判定が満たされ次のステップＳ１１０に移る。
【００６７】
ステップＳ１０７では、アンテナユニット３００を介して読み取られた無線タグ情報の送信先を表す送信先情報の入力を行う。この入力は、例えばＰＣ端末１００の表示部１０１に送信先情報（例えばネットワークアドレス）の入力画面を表示させ、この表示に従いユーザが操作部１０２を用いて入力した送信先情報を通信回線ＮＷを介して受信することにより行う。本実施形態では、情報送信先として、設定を行うアンテナユニット３００と対応して配置されたＰＣ端末１００（例えば同じデスク上のＰＣ端末）が設定されるようになっている。
【００６８】
なお、ここではユーザが送信先情報を入力するようにしたが、これに限られない。例えば、ＰＣ端末１００が通信回線ＮＷを介して接続されることにより、リーダライタＲＷではＰＣ端末１００のＩＰアドレス（Ｉｎｔｅｒｎｅｔ  Ｐｒｏｔｏｃｏｌ  Ａｄｄｒｅｓｓ）を取得可能であるため、当該取得したＩＰアドレスを用いて自動的に情報送信先を設定するようにしてもよい。この場合、ユーザがＰＣ端末１００を介して送信先情報を入力する手間が省けるので、ユーザの操作負担をさらに低減し、利便性をさらに向上することができる。
【００６９】
次のステップＳ１１０では、書き込み対象となる無線タグ回路素子Ｔｏを有するタグラベルＴがアンテナユニットの情報送信先設定用であることを表す設定タグフラグを作成し、これと上記入力した送信先情報とを合わせて無線タグ回路素子Ｔｏに書き込むためのタグ書き込み情報を作成する。
【００７０】
次のステップＳ１１３では、設定タグＴのラベル表面に印字する印字情報の入力を行う。この印字情報は、情報送信先の設定対象であるアンテナユニットを識別可能な識別情報であり、例えばアンテナユニットの識別番号やそのユーザの名前等で構成されている。なお、この印字情報の入力は、ＰＣ端末１００の表示部１０１に印字情報の入力画面を表示させ、この表示に従いユーザが操作部１０２を用いて入力した印字情報を通信回線ＮＷを介して受信することにより行う。
【００７１】
なお、上記ではユーザが印字情報を入力するようにしたが、これに限られず、上記ステップＳ１１０で設定したタグ書き込み情報の内容に基づいて印字情報を自動的に設定するようにしてもよい。
【００７２】
次のステップＳ１１５において、例えば搬送ローラ３０８に制御信号を出力し、カートリッジ用モータ（図示せず）の駆動力によってタグテープロール３０４からタグテープ３０３を繰り出させる。
【００７３】
その後、ステップＳ１２０に移り、タグテープ３０３が所定値Ｃ（例えば、先行する無線タグ回路素子Ｔｏに対する無線タグ情報書き込みが終了し、次の無線タグ回路素子Ｔｏがアンテナ３０６Ｗにほぼ対向する位置に到達するだけの搬送距離）だけ搬送されたかどうかを判定する。この搬送距離判定は、例えばタグテープ３０３に設けたマーキングを公知のテープセンサ（不図示）で検出することにより行えば足りる。判定が満たされたら、ステップＳ２００に移る。
【００７４】
ステップＳ２００ではタグ情報書き込み・印字処理を行い、無線タグ情報を含む送信信号をタグテープ３０３上の無線タグ回路素子Ｔｏに送信して書き込みを行うとともに、印字ヘッド３０５によりタグテープ３０３の対応する印字領域（図示せず）に印字を行う（詳細手順は後述の図７参照）。このステップＳ２００が終了したらステップＳ１３５に移る。
【００７５】
ステップＳ１３５では、タグテープ３０３のうちこの時点で処理対象としている無線タグ回路素子Ｔｏに対応する印字領域への印字がすべて完了しているかどうかを確認した後、ステップＳ１４０へ移る。
【００７６】
ステップＳ１４０では、タグテープ３０３がさらに所定量（例えば、対象とする無線タグ回路素子Ｔｏ及び印字領域のすべてがカッタ３０７を所定の長さ（余白量）分越えるだけの搬送距離）だけ搬送されたかどうかを判断する。このときの搬送距離判定も例えば前述のステップＳ１２０と同様にすれば足りる。判定が満たされたら、ステップＳ１４５に移る。
【００７７】
ステップＳ１４５では、上記搬送ローラ３０８に制御信号を出力して上記カートリッジ用モータの駆動を停止して、タグテープロール３０４からのタグテープ３０３の繰り出し及び搬送を停止させる。
【００７８】
その後、ステップＳ１５０で、例えば図示しないソレノイド駆動回路に制御信号を出力してカッター用ソレノイド（図示せず）を駆動し、カッタ３０７によってタグテープ３０３の切断を行う。前述したように、この時点で、例えば処理対象の無線タグ回路素子Ｔｏ及び領域Ｓを含むタグテープ３０３のすべてがカッタ３０７を十分に越えており、このカッタ３０７の切断によって、無線タグ回路素子Ｔｏに無線タグ情報が書き込まれかつこれに対応する所定の印字が行われたラベル状の無線タグラベルＴが生成される。
【００７９】
その後、ステップＳ１５５に移り、上記ステップＳ１５０でラベル状に生成された無線タグラベルＴがリーダライタＲＷの装置外へと排出される（なお、別途設けた排出用ローラを駆動制御してもよいし、操作者が手で抜き取るようにしてもよい）。以上により、本フローを終了する。
【００８０】
以上の制御により、送信先設定対象であるアンテナユニット３００に対応する送信先情報が書き込まれた設定用の無線タグラベルＴがリーダライタＲＷで作成される。
【００８１】
なお、上記フローにおけるステップＳ２００の手順は、特許請求の範囲各項記載の振り分け先情報を装置側アンテナを介しラベル用無線タグ回路素子のＩＣ回路部に対し書き込むための書き込み制御手段を構成する。
【００８２】
また、以上では、ユーザが作成指示入力を行うとリーダライタＲＷが設定タグの作成を開始するようにしたが、これに限られず、例えば最初に印字情報の入力を行い、ユーザが入力した印字情報に作成するタグラベルが情報送信先の設定用であることを表す情報（例えば「設定タグ」等の文字情報）が含まれているか否かを判定し、含まれている場合に設定タグの作成を開始するようにしてもよい。
【００８３】
図７は、上述のステップＳ２００の詳細手順を表すフローチャートである。
【００８４】
この図７において、まず、ステップＳ２３５において、例えば図示しない印刷駆動回路に制御信号を出力し、上記印字ヘッド３０５を通電して、タグテープ３０３のうち処理対象となる無線タグ回路素子Ｔｏに対応する上記印字領域に、前述のステップＳ１１３で入力した印字情報の印刷を開始させる。
【００８５】
そして、ステップＳ２４０に移り、所望のデータ（ここでは上記ステップＳ１１０で作成したタグ書き込み情報）を無線タグ回路素子Ｔｏのメモリ部１５５に書き込む「Ｐｒｏｇｒａｍ」信号を生成して高周波回路３０１Ｗを介して情報書き込み対象の無線タグ回路素子Ｔｏに送信し、そのメモリ部１５５に情報が書き込まれる。なおこのとき、上記「Ｐｒｏｇｒａｍ」信号には、アンテナユニット３００を介して読み取られた無線タグ情報の送信先を表す送信先情報が含まれ、さらに上述したように当該タグラベルＴがアンテナユニットの情報送信先設定用であることを表す設定タグフラグも含まれている。
【００８６】
その後、ステップＳ２４５において、通信結果の可否確認のための「Ｖｅｒｉｆｙ」信号を生成して高周波回路３０１Ｗを介して情報書き込み対象の無線タグ回路素子Ｔｏに送信され、返信を促す。
【００８７】
その後ステップＳ２５０において、上記「Ｖｅｒｉｆｙ」信号に対応して書き込み対象の無線タグ回路素子Ｔｏから送信されたリプライ信号をアンテナ３０６Ｗを介して受信し、高周波回路３０１Ｗを介し取り込む。
【００８８】
次に、ステップＳ２５５において、リプライ信号に基づき、当該無線タグ回路素子Ｔｏのメモリ部１５５内に記憶された情報を確認し、前述の送信した所定の情報がメモリ部１５５に正常に記憶されたか否かを判定する。判定が満たされた場合にはこのルーチンを終了する。これにより、書き込み対象とする無線タグ回路素子Ｔｏへの情報書き込みが完了する。判定が満たされない場合はステップＳ２４０に戻って同様の手順を繰り返す。
【００８９】
以上のルーチンにより、タグテープ３０３上の書き込み対象の無線タグ回路素子Ｔｏに対して対応する情報を書き込むとともに、タグテープ３０３上の対応する印字領域に対し上記所定の印字を印刷することができる。
【００９０】
図８は、上記のようにして作成された無線タグラベルＴに備えられた上記無線タグ回路素子ＴｏのＩＣ回路部１５０の上記メモリ部１５５に記憶されたデータ内容を概念的に表す図である。
【００９１】
この図８において、無線タグラベルＴの無線タグ回路素子Ｔｏは、タグ識別情報としてのタグＩＤと、アンテナユニットの情報送信先設定用のタグであることを表す設定タグフラグと、アンテナユニット３００を介して読み取られた無線タグ情報の送信先を表す送信先情報（例えばネットワークアドレス）とを、メモリ部１５５に記憶保持している。
【００９２】
図９は、上述のようにして作成した設定タグＴを用いてアンテナユニット３００で読み取った無線タグ情報の送信先の設定を行う際に、リーダライタＲＷの制御回路３１１が実行する制御手順を表すフローチャートである。このフローは、例えばリーダライタＲＷの電源投入後、ラベル作成時以外においては常時繰り返し行われるようになっている。
【００９３】
この図９において、まずステップＳ３１０では、高周波回路３０１Ｒ及び複数（本例では３つ）のアンテナユニット３００（アンテナ３０６Ｒ）を介し、無線タグラベルＴの無線タグ回路素子ＴｏのＩＣ回路部１５０にそれぞれ記憶された情報を読み取るための問い合わせ信号を生成して高周波回路３０１Ｒを介して通信範囲内に存在する無線タグ回路素子Ｔｏに送信し、返信を促す。
【００９４】
その後、ステップＳ３１５に移り、上記問い合わせ信号に対応し無線タグラベルＴの無線タグ回路素子Ｔｏから送信（返信）されたリプライ信号が複数のアンテナユニット３００のうちのいずれか１つ及び高周波回路３０１Ｒを介し受信されたかどうかを判定する。いずれかのアンテナユニット３００を介し無線タグラベルＴからリプライ信号が受信されていなければ判定が満たされずにステップＳ３１０に戻り、再び問い合わせ信号の送信を繰り返す。一方、いずれかのアンテナユニット３００を介し無線タグラベルＴからリプライ信号を受信している場合には、判定が満たされて次のステップＳ３２０に移る。なおこのとき、いずれのアンテナユニット３００からリプライ信号を受信したか識別できるようになっている。
【００９５】
ステップＳ３２０では、上記受信したリプライ信号に基づき、当該リプライ信号を受信した無線タグラベルＴの無線タグ情報を読み取り取得する。この無線タグ情報には、当該リプライ信号を受信した無線タグラベルＴが設定タグである場合には、前述したようにアンテナユニット３００を介して読み取られた無線タグ情報の送信先を表す送信先情報と、無線タグラベルＴがアンテナユニットの情報送信先設定用であることを表す設定タグフラグが含まれる。一方、リプライ信号を受信した無線タグラベルＴが設定タグでなく一般タグである場合には、当該情報（データそのものでもよいし、当該データに関連付けられたＩＤ等の識別情報でもよい）が含まれる。なお、上記無線タグ情報は記憶部３１０（または制御回路３１１が有する前記ＲＡＭ３１１Ｃでもよい）に一時的に記憶される。
【００９６】
次のステップＳ３２５では、上記ステップＳ３２０で取得した無線タグ情報に基づき、情報読み取りを行った無線タグラベルＴが設定タグであるか否かを判定する。すなわち、取得した無線タグ情報中に上記設定タグフラグが含まれる場合には、設定タグと見なして判定が満たされ、次のステップＳ３２７に移る。
【００９７】
ステップＳ３２７では、送信先情報とアンテナユニット識別情報とが対応づけられて記憶部３１０に記憶されたか否か（後述するステップＳ３３５参照）を判定する。記憶されている場合には、本フローを終了する。一方、記憶されていない場合には、次のステップＳ３３０に移る。
【００９８】
ステップＳ３３０では、上記ステップＳ３２０で無線タグラベルＴから読み出し記憶した無線タグ情報から送信先情報を取得する。
【００９９】
次のステップＳ３３５では、上記ステップＳ３３０で取得した送信先情報と、上記無線タグラベルＴの無線タグ回路素子Ｔｏから情報読み取りを行ったアンテナユニット３００の識別情報とを対応づけ、これら対応づけた情報を上記記憶部３１０（または制御回路３１１が有する前記ＲＡＭ３１１Ｃでもよい）に記憶させる。そして本フローを終了する。
【０１００】
なお、上記ステップＳ３２５において、取得した無線タグ情報中に上記設定タグフラグが含まれない場合には、情報読み取り用の一般タグと見なし、判定が満たされずにステップＳ３４５に移る。
【０１０１】
ステップＳ３４５では、上記ステップＳ３３５で送信先情報とアンテナユニット識別情報とが対応づけられて記憶部３１０に記憶されたか否かを判定する。記憶されていない場合には、判定が満たされずにステップＳ３６０に移り、通信回線ＮＷを介して（例えば全台の）ＰＣ端末１００に制御信号を出力し、表示部１０１にエラー表示（例えば「送信先設定が行われていません！」等）を行わせる。なお、当該エラーの報知は表示に限られず音声で行ってもよい。また、ＰＣ端末１００ではなく、リーダライタＲＷの図示しないエラー報知手段により報知を行うようにしてもよい（例えばエラーランプの点灯等）。
【０１０２】
一方、送信先情報とアンテナユニット識別情報とが対応づけられて記憶部３１０に記憶されており、上記ステップＳ３４５の判定が満たされた場合には、判定が満たされてステップＳ３５０に移る。
【０１０３】
次のステップＳ３５０では、記憶部３１０に記憶された送信先情報とアンテナユニット識別情報との情報に基づき、情報読み取りを行ったアンテナユニット３００に対応する送信先情報を抽出して読み出し、送信先の設定を行う。
【０１０４】
次のステップＳ３６０では、一般タグＴの無線タグ回路素子Ｔｏから読み出した無線タグ情報を、上記ステップＳ３５０で設定した送信先（本例では情報読み取りを行ったアンテナユニット３００に対応して配置されたＰＣ端末１００）に送信する。その結果、ＰＣ端末１００においては当該受信された情報の表示等の処理が行われる。そして、本フローを終了する。
【０１０５】
以上の制御により、設定タグＴを用いて一旦アンテナユニット３００の情報送信先の設定を行うと、その設定が記憶され、当該設定済みのアンテナユニット３００でその後一般タグＴの情報読み取りを行った際には、新たに情報送信先の設定を行わなくとも既に設定された送信先に情報が送信される。なお、ここではアンテナユニット３００に対し一旦情報送信先の設定を行うと、次に設定用タグＴを読み込ませても送信先の更新はできないようにしたが、例えば後述するリセットタグを用いること等により当該送信先の更新をできるようにしてもよい（詳細は後述）。
【０１０６】
以上において、制御回路３１１によって実行されるステップＳ３３０は、特許請求の範囲各項記載の情報振り分け先設定用の無線タグ回路素子から振り分け先情報を取得するための振り分け先情報取得手段を構成し、ステップＳ３５０が振り分け先情報手段で取得した振り分け先情報に基づき、読み取り情報記憶手段に記憶した情報又はこれに対応する情報の出力先を設定するための情報振り分け手段を構成する。
【０１０７】
また、設定用の無線タグラベルＴの無線タグ回路素子Ｔｏに書き込まれる送信先情報が特許請求の範囲各項記載の振り分け先情報に相当し、設定用の無線タグラベルＴの無線タグ回路素子Ｔｏに書き込まれる設定タグフラグが情報振り分け設定用の無線タグ回路素子のＩＣ回路部に記憶された振り分け設定識別子に相当する。
【０１０８】
以上説明した本実施形態のリーダライタＲＷにおいては、情報読み取り用の無線タグラベルＴの無線タグ回路素子Ｔｏから情報が取得され、その取得された情報を記憶部３１０に記憶する。一方で、情報送信先設定用のタグラベルＴの無線タグ回路素子Ｔｏから送信先情報を取得する。そして、この取得された送信先情報に基づき情報出力先を設定することにより、上記記憶部３１０に記憶された情報はその設定された出力先へと出力される。
【０１０９】
このようにして、情報読み取り用の無線タグラベルＴの無線タグ回路素子Ｔｏから取得された情報の出力先が本実施形態のように複数箇所存在する（ＰＣ端末１００が複数台存在する）ことにより不定の場合であっても、情報送信先設定用の無線タグラベルＴの無線タグ回路素子Ｔｏに対し情報読み取りを行い送信先情報を取得することで、ユーザがいちいち煩雑な手動設定を行わなくても自動的に情報の出力先を設定することができる。この結果、ユーザの操作負担を低減し、利便性を向上することができる。
【０１１０】
また、本実施形態では特に、情報送信先の設定用の無線タグラベルＴの無線タグ回路素子Ｔｏに対し設定用のタグであることを表す設定タグフラグを書き込む。これにより、当該設定タグフラグを用いて情報送信先設定用無線タグラベルＴ（無線タグ回路素子Ｔｏ）を他の情報読み取り用の無線タグラベルＴ（無線タグ回路素子Ｔｏ）等と区別して、送信先情報の取得を確実に行うことができる。
【０１１１】
また、本実施形態では特に、記憶部３１０に送信先情報を記憶保持する。これにより、一度送信先情報を設定し記憶部３１０で記憶保持している間は、新たに設定タグＴを用いて送信先情報を取得し直さなくても、自動的に情報の送信先を設定することができる。
【０１１２】
なお、本発明は、上記実施形態に限られるものではなく、その趣旨及び技術的思想を逸脱しない範囲内で種々の変形が可能である。以下、そのような変形例を順を追って説明する。
【０１１３】
（１）アンテナユニットが１台である場合
上記実施形態では、同台数のＰＣ端末１００とアンテナユニット３００とをそれぞれ１台ずつ対応させて配置し、各アンテナユニット３００を介して読み取られた無線タグ情報は当該アンテナユニット３００と対応するＰＣ端末１００に送信されるように構成したが、これに限られず、例えば共用のアンテナユニット３００を１台のみ設置し、各ユーザはこのアンテナユニット３００を用いて無線タグ情報の読み取りを行い、所望のＰＣ端末１００にその情報を送信するように構成してもよい。
【０１１４】
図１０は、本変形例の無線タグ情報読み取りシステム１Ａの全体構成を表すシステム構成図である。
【０１１５】
図１０において、無線タグ情報読み取りシステム１は、リーダライタＲＷと、このリーダライタＲＷと例えばＵＳＢケーブル等の接続手段２を介して接続され、無線タグラベルＴの無線タグ回路素子Ｔｏから無線タグ情報を読み取るためのアンテナ３０６Ｒを有する１台のアンテナユニット３００と、上記リーダライタＲＷと有線あるいは無線による通信回線ＮＷを介し接続され、表示部１０１及び操作部１０２を有する複数（本例では３つ）のＰＣ端末１００とを有している。
【０１１６】
本変形例では、上記１台のアンテナユニット３００を複数のユーザが共用する。すなわち、各ユーザはまず、前述の実施形態と同様の手順により所望の送信先情報（例えば自分のＰＣ端末１００のネットワークアドレス情報）が書き込まれた設定タグＴを作成する。そして、情報読み取り対象である一般タグＴの情報読み取りを行う際には、作成した設定タグＴを上記共用のアンテナユニット３００に近づけて無線タグ情報を読み取らせることにより、リーダライタＲＷでそのアンテナユニット３００の情報送信先が設定され、アンテナユニット３００と送信先情報とが対応づけられて一時的に記憶される。これにより、そのユーザが一般タグＴから読み取りを行った無線タグ情報は、設定された送信先（そのユーザのＰＣ端末１００等）に送信される。次に、別のユーザが一般タグＴの情報読み取りを行う際には、当該別のユーザは自分が作成した設定タグＴを上記共用のアンテナユニット３００に近づけて無線タグ情報を読み取らせることにより、リーダライタＲＷでそのアンテナユニット３００の情報送信先が更新され、アンテナユニット３００と送信先情報とが対応づけられて更新されて記憶される。これにより、当該別のユーザが一般タグＴから読み取りを行った無線タグ情報は、設定された送信先（当該別のユーザのＰＣ端末１００等）に送信される。
【０１１７】
図１１は、上述のように各ユーザが自分の設定タグＴを用いて共用のアンテナユニット３００の情報送信先の設定を行う際に、リーダライタＲＷの制御回路３１１’（図示せず）が実行する制御手順を表すフローチャートであり、前述の図９に対応する図である。この図１１において、図９と同様の手順には同符号を付し説明を省略する。
【０１１８】
この図１１のフローと前述の図９とが異なる点は、ステップＳ３２７を省略した点である。すなわち、この図１１においては、ステップＳ３２５で情報読み取りを行った無線タグラベルＴが設定タグであるか否かを判定し、設定タグである場合には判定が満たされてステップＳ３３０に移り、無線タグラベルＴから読み出し記憶した無線タグ情報から送信先情報を取得する。そして、次のステップＳ３３５において、送信先情報とアンテナユニット３００の識別情報とを対応づけ、これら対応づけた情報を上記記憶部３１０（または制御回路３１１が有する前記ＲＡＭ３１１Ｃでもよい）に記憶させる。このとき、以前に当該情報が記憶されている場合には、情報を更新して記憶させる。そして本フローを終了する。
【０１１９】
このように、本変形例においては、新たに設定タグＴから送信先情報を取得する度、その新しい送信先情報に置き換えられるので、直近の取得内容へと情報更新を図ることができる。したがって、複数のユーザで１台のアンテナユニット３００を使用する上述の場合のように、一度設定された情報出力先を別のものに変えたい場合において、容易にその変更を行うことができ、利便性をさらに向上できる。また一度設定された情報出力先に対し、所定周期でエラーが生じたり不適合化していないかチェックをすることも可能である。
【０１２０】
なお、以上の変形例では、情報送信先として１ヶ所の送信先（対応するユーザの１台のＰＣ端末１００）を設定するようにしたが、これに限られず、前述した実施形態と同様に、複数の情報送信先（例えば情報読み取りを行うユーザの部署全員のＰＣ端末等）を設定するようにしてもよい。
【０１２１】
（２）情報送信先の設定を解除するリセットタグを用いる場合
上記実施形態では、アンテナユニット３００に対し一旦情報送信先の設定を行うと、次に設定用タグＴを読み込ませても送信先の更新はできないようにしたが、例えばこの設定を解除するための情報を書き込んだ無線タグラベルＴ（以下、適宜「リセットタグ」と記載）を用いることにより当該送信先の設定を解除し、新たに更新できるようにしてもよい。
【０１２２】
図１２は、上記設定解除用の無線タグラベルＴを作成する際にリーダライタＲＷの制御回路３１１”（図示せず）によって実行される制御手順を表すフローチャートであり、前述の図６に対応する図である。この図１２において、図６と同様の手順には同符号を付し説明を省略する。
【０１２３】
まずステップＳ１０５Ａにおいて、リセットタグＴの作成指示の入力があったか否かを判定する。この判定は、ユーザがＰＣ端末１００の操作部１０２を用いてリセットタグの作成指示入力を行うことにより、その指令信号が入力されたか否かを判定することにより行う。作成開始指示入力があるまで本ステップを繰り返し、入力があると判定が満たされ次のステップＳ１１０Ａに移る。
【０１２４】
ステップＳ１１０Ａでは、書き込み対象となる無線タグ回路素子Ｔｏを有するタグラベルＴが送信先情報の初期化用であることを表すリセットタグフラグを作成し、無線タグ回路素子Ｔｏに書き込むためのタグ書き込み情報を作成する。
【０１２５】
次のステップＳ１１３Ａでは、リセットタグＴのラベル表面に印字する印字情報の入力を行う。なお、ユーザが印字情報を入力するのではなく、当該タグラベルが送信先情報の初期化用であることを表す印字情報（例えば「リセット用タグ」等）を自動的に設定するようにしてもよい。
【０１２６】
その後のステップＳ１１５〜ステップＳ１５５は前述の図６と同様であるので説明を省略する。
【０１２７】
図１３は、上記のようにして作成されたリセットタグＴに備えられた上記無線タグ回路素子ＴｏのＩＣ回路部１５０の上記メモリ部１５５に記憶されたデータ内容を概念的に表す図である。
【０１２８】
この図１３において、無線タグラベルＴの無線タグ回路素子Ｔｏは、タグ識別情報としてのタグＩＤと、送信先情報の初期化用のタグであることを表すリセットタグフラグとを、メモリ部１５５に記憶保持している。
【０１２９】
図１４は、上述のようにして作成したリセットタグＴを用いて送信先情報の初期化を行う際に、本変形例のリーダライタＲＷの制御回路３１１’’’（図示せず）が実行する制御手順を表すフローチャートであり、前述の図９に対応する図である。この図１４において、図９と同様の手順には同符号を付し説明を省略する。
【０１３０】
この図１４のフローと前述の図９とが異なる点は、ステップＳ３２３、ステップＳ３６５及びステップＳ３７０を追加した点である。すなわち、ステップＳ３１０〜ステップＳ３２０において無線タグラベルＴの無線タグ情報を読み取り取得した後、ステップＳ３２３において、取得した無線タグ情報に基づき、情報読み取りを行った無線タグラベルＴがリセットタグであるか否かを判定する。すなわち、取得した無線タグ情報中に上記リセットタグフラグが含まれる場合には、リセットタグと見なして判定が満たされ、次のステップＳ３６５に移る。
【０１３１】
ステップＳ３６５では、送信先情報とアンテナユニット識別情報とが対応づけられて記憶部３１０に記憶されているか否かを判定する。記憶されている場合にはステップＳ３７０に移る。一方、記憶されていない場合には、本フローを終了する。
【０１３２】
ステップＳ３７０では、記憶部３１０に送信先情報とアンテナユニット３００の識別情報とが対応づけられて保存されている情報を初期化する。そして本フローを終了する。
【０１３３】
このようにして、リセットタグＴを用いて記憶部３１０の送信先情報を初期化した後は、ステップＳ３２７の判定が満たされないようになるので、設定タグを用いて新たに情報送信先を設定することができる。
【０１３４】
なお、上記において、制御回路３１１’’’によって実行されるステップＳ３２３が、特許請求の範囲各項記載の情報初期化用の無線タグ回路素子から振り分け先情報を初期化するための初期化情報を取得するための初期化情報取得手段を構成し、ステップＳ３７０が初期化情報取得手段で取得した初期化情報に基づき、振り分け先情報記憶手段に既に記憶保持している振り分け先情報を初期化する初期化処理手段を構成する。また、リセットタグＴの無線タグ回路素子Ｔｏに書き込まれるリセットタグフラグが振り分け先情報を初期化するための初期化情報に相当する。
【０１３５】
以上説明した変形例によれば、リセットタグＴを用いていったん設定された送信先情報をクリアすることができる。したがって、一度設定された情報出力先を白紙に戻したい場合等において、容易にその初期化を行うことができ、利便性をさらに向上できる。
【０１３６】
なお、上記においては特に触れなかったが、リセットタグＴの無線タグ回路素子Ｔｏのアンテナ１５１の利得を、情報読み取り用の一般タグＴの無線タグ回路素子Ｔｏ及び情報送信先設定用の設定タグＴの無線タグ回路素子Ｔｏよりも低くしてもよい。これにより、本来初期化する意図ではないのにユーザが誤ってリセットタグを取り扱って送信先情報を初期化してしまうのを低減することができる。
【０１３７】
また、上記においてはリセットタグＴの使用回数について特に制限を設けなかったが、使用回数を１回に制限するようにしてもよい。
【０１３８】
図１５はこの場合におけるリーダライタＲＷの制御回路が実行する制御手順を表すフローチャートであり前述の図１４等に対応する図である。
【０１３９】
この図１５において、ステップＳ３１０〜ステップＳ３７０は前述の図１４と同様であり、ステップＳ３７０で記憶部３１０に送信先情報とアンテナユニット３００の識別情報とが対応づけられて保存されている情報を初期化した後に、ステップＳ３７５に移る。
【０１４０】
ステップＳ３７５では、高周波回路３０１Ｒ及びリセットタグＴの情報読み取りを行ったアンテナユニット３００のアンテナ３０６Ｒを介し、リセットタグＴの無線タグ回路素子ＴｏのＩＣ回路部１５０に記憶された初期化情報（リセットタグフラグ）を消去するための「Ｅｒａｓｅ」信号を生成して高周波回路３０１Ｒを介して無線タグ回路素子Ｔｏに送信する。
【０１４１】
次のステップＳ３８０では、上記消去結果の可否確認のための「Ｖｅｒｉｆｙ」信号を生成して高周波回路３０１Ｒを介してリセットタグＴの無線タグ回路素子Ｔｏに送信し、返信されたリプライ信号に基づき初期化情報（リセットタグフラグ）の消去が完了したか否かを判定する。消去が完了していない場合には上記ステップＳ３７５に戻り、再度「Ｅｒａｓｅ」信号の送信を行う。消去が完了している場合には、本フローを終了する。
【０１４２】
上記において、ステップＳ３７５は特許請求の範囲各項記載の情報初期化用無線タグ回路素子に記憶された初期化情報を無効化するための無効化処理手段を構成する。
【０１４３】
以上の変形例によれば、一度初期化を実行したリセットタグＴの情報初期化機能を無効化することにより、その後ユーザが誤ってリセットタグＴを取り扱い送信先情報を初期化してしまうのを確実に防止することができる。
【０１４４】
なお、上記ではリセットタグＴの使用回数を１回に制限する場合を例にとって説明したが、これに限られず２回以上の所定の回数としてもよい。
【０１４５】
（３）情報送信先が複数である場合
上記実施形態では、情報送信先として１ヶ所の送信先（対応する１台のＰＣ端末１００）を設定し、各アンテナユニット３００を介して読み取られた無線タグ情報は当該アンテナユニット３００と対応する１台のＰＣ端末１００に送信されるように構成したが、これに限られず、複数の情報送信先（例えば情報読み取りを行うユーザの部署全員のＰＣ端末等）を設定し、当該複数のＰＣ端末１００に無線タグ情報を送信するようにしてもよい。
【０１４６】
情報送信先が複数である場合の態様としては、例えば前述の図１に示すシステム構成において、いずれかのアンテナユニット３００を介して読み取られた無線タグ情報が全台のＰＣ端末１００に送信される場合や、３台のアンテナユニット３００のうちのいずれかの２台に送信される場合等が挙げられる。また、前述の図１０に示すシステム構成において、共有のアンテナユニット３００を介して読み取られた無線タグ情報が全台のＰＣ端末１００に送信される場合や、３台のアンテナユニット３００のうちのいずれかの２台に送信される場合等が挙げられる。さらには、例えば図１６に示すように、あるアンテナユニット群（例えば図中グループＡ）のいずれかのアンテナユニット３００を介し一般タグＴから取得された情報を、当該アンテナユニット群に対応したＰＣ端末群（例えば図中グループＡ。若しくはグループＢ，Ｃでもよい。または、グループＡ，Ｂ，Ｃのうちの複数のグループでもよい）に含まれる複数のＰＣ端末１００へと送信する場合等が挙げられる。
【０１４７】
以上説明した変形例によれば、ユーザが煩雑な手動設定を複数の送信先に対していちいち行わなくても自動的に複数の情報出力先を一度に設定することができるので、利便性をさらに向上することができる。
【０１４８】
（４）情報送信先の設定を限定的に解除する場合
上記変形例（２）においては、リセットタグを用いて情報送信先の設定を一括して初期化するようにしたが、これに限られず、例えば上記変形例（３）のように情報送信先が複数設定されている場合に、それら複数の情報送信先のうち特定の送信先に関する部分を限定的に初期化するようにしてもよい。
【０１４９】
図１７は、本変形例の限定解除用の無線タグラベルＴを作成する際にリーダライタＲＷの制御回路３１１””（図示せず）によって実行される制御手順を表すフローチャートであり、前述の図１２等に対応する図である。この図１７において、図１２等と同様の手順には同符号を付し説明を省略する。
【０１５０】
まずステップＳ１０５Ｂにおいて、限定解除用のリセットタグＴの作成指示の入力があったか否かを判定する。この判定は、ユーザがＰＣ端末１００の操作部１０２を用いてリセットタグの作成指示入力を行うことにより、その指令信号が入力されたか否かを判定することにより行う。作成開始指示入力があるまで本ステップを繰り返し、入力があると判定が満たされ次のステップＳ１０７Ｂに移る。
【０１５１】
ステップＳ１０７Ｂでは、設定された複数の情報送信先のうち、ユーザが設定を解除したい情報送信先（複数の情報送信先を含む）を表す初期化対象情報の入力を行う。この入力は、例えばＰＣ端末１００の表示部１０１に初期化対象情報（例えばネットワークアドレス）の入力画面を表示させ、この表示に従いユーザが操作部１０２を用いて入力した初期化対象情報を通信回線ＮＷを介して受信することにより行う。
【０１５２】
次のステップＳ１１０Ｂでは、書き込み対象となる無線タグ回路素子Ｔｏを有するタグラベルＴが送信先情報の初期化用であることを表すリセットタグフラグを作成し、これと上記入力した初期化対象情報とを合わせて無線タグ回路素子Ｔｏに書き込むためのタグ書き込み情報を作成する。
【０１５３】
次のステップＳ１１３Ｂでは、リセットタグＴのラベル表面に印字する印字情報の入力を行う。なお、ユーザが印字情報を入力するのではなく、当該タグラベルが送信先情報の限定初期化用であることを表す印字情報（例えば「○○リセット用タグ」等）を上記初期化対象情報に基づき自動的に設定するようにしてもよい。
【０１５４】
その後のステップＳ１１５〜ステップＳ１５５は前述の図１２等と同様であるので説明を省略する。
【０１５５】
図１８は、上記のようにして作成された限定解除用のリセットタグＴに備えられた上記無線タグ回路素子ＴｏのＩＣ回路部１５０の上記メモリ部１５５に記憶されたデータ内容を概念的に表す図である。
【０１５６】
この図１８において、無線タグラベルＴの無線タグ回路素子Ｔｏは、タグ識別情報としてのタグＩＤと、送信先情報の初期化用のタグであることを表すリセットタグフラグと、設定された複数の情報送信先のうちユーザが送信を解除したい情報送信先を表す初期化対象情報（例えばネットワークアドレス）とを、メモリ部１５５に記憶保持している。
【０１５７】
図１９は、上述のようにして作成した限定解除用のリセットタグＴを用いて送信先情報の初期化を行う際に、本変形例のリーダライタＲＷの制御回路３１１””（図示せず）が実行する制御手順を表すフローチャートであり、前述の図１４等に対応する図である。この図１９において、図１４等と同様の手順には同符号を付し説明を省略する。
【０１５８】
この図１９において、ステップＳ３１０〜ステップＳ３６５は前述の図１４と同様であり、無線タグラベルＴの無線タグ情報を読み取り取得した後、当該情報読み取りを行った無線タグラベルＴがリセットタグであるか否かを判定し、リセットタグである場合にはステップＳ３６５に移り、送信先情報とアンテナユニット識別情報とが対応づけられて記憶部３１０に記憶されているか否かを判定する。記憶されている場合にはステップＳ３６７に移る。
【０１５９】
ステップＳ３６７では、上記ステップＳ３２０で無線タグラベルＴから読み出し記憶した無線タグ情報から初期化対象情報を取得する。
【０１６０】
次のステップＳ３７０では、上記初期化対象情報に基づき、記憶部３１０に記憶されている送信先情報のうち該当する情報を初期化する。そして本フローを終了する。
【０１６１】
以上説明した本変形例によれば、特定のＰＣ端末等、全体のうちのある部分的な情報送信先に関してのみ、送信先としての記録を削除することができるので、操作者のニーズに応じたさらに細かい設定操作ができる。
【０１６２】
（５）その他
以上においては、アンテナユニット３００のアンテナ３０６Ｒとしてパッチアンテナを用いる場合を例にとって説明したが、これに限られず、例えばダイポールアンテナを用いてもよい。また、以上ではアンテナユニット３００と無線タグ回路素子Ｔｏとの間でＵＨＦ帯を用いた電波通信により情報送受信を行う場合を例にとって説明したが、これに限られず、例えばアンテナユニット３００側のアンテナ３０６Ｒや無線タグ回路素子Ｔｏ側のアンテナ１５１としてコイル状のループアンテナを用い、磁気誘導（電磁誘導、磁気結合、その他電磁界を介して行われる非接触方式を含む）により情報送受信を行うようにしてもよい。
【０１６３】
また、以上においては、リーダライタＲＷにおいて移動中のタグテープ３０３に対して無線タグ情報の書き込み・読み取りや印字を行う例を示したが、これに限られず、タグテープ３０３を所定位置で停止させて（さらに読み取り・書き込みについては所定の搬送ガイドにて保持した状態としてもよい）上記印字や読み取り・書き込みを行うようにしてもよい。
【０１６４】
また、以上において、印字及び無線タグ回路素子Ｔｏへのアクセス（読み取り又は書き込み）の終了したタグテープ３０３をカッタ３０７で切断してタグラベルＴを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタ３０７で切断しなくても、テープが排出口から排出されてきた後にラベル台紙（アクセス済みの無線タグ回路素子Ｔｏが備えられかつ対応する印字がなされたもの）のみをテープから剥がしてタグラベルＴを作成しても良く、本発明はこのようなものに対しても適用できる。
【０１６５】
また、以上においては、タグテープ３０３に印字を行う方式（貼りあわせを行わないタイプ）であったが、これに限られず、無線タグ回路素子Ｔｏを備えたタグテープ３０３とは別のカバーフィルムに印字を行ってこれらを貼り合わせる方式に本発明を適用してもよい。
【０１６６】
さらに、以上は、タグテープがリール部材の周りに巻回されてロールを構成し、そのロールからタグテープが繰り出される場合を例にとって説明したが、これに限られない。例えば、無線タグ回路素子Ｔｏが少なくとも一つ配置された長尺平紙状あるいは短冊状のテープやシート（ロールに巻回されたテープを繰り出した後に適宜の長さに切断して形成したものを含む）を、所定の収納部にスタックして（例えばトレイ状のものに平積み積層して）おき、この収納部から移送、搬送して印字及び書き込みを行いタグラベルを作成するようにしてもよい。
【０１６７】
また、以上既に述べた以外にも、上記実施形態や各変形例による手法を適宜組み合わせて利用しても良い。
【０１６８】
その他、一々例示はしないが、本発明は、その趣旨を逸脱しない範囲内において、種々の変更が加えられて実施されるものである。
【図面の簡単な説明】
【０１６９】
【図１】本発明の一実施形態であるリーダライタを有する無線タグ情報読み取りシステムの全体構成を表すシステム構成図である。
【図２】本発明の一実施形態であるリーダライタの全体構成を概念的に表す全体構成図である。
【図３】本発明の一実施形態であるリーダライタの制御系の構成を表す機能ブロック図である。
【図４】制御回路の詳細機能を表す機能ブロック図である。
【図５】タグテープ及び無線タグラベルに備えられた無線タグ回路素子の機能的構成の一例を表すブロック図である。
【図６】設定用の無線タグラベルを作成する際にリーダライタの制御回路によって実行される制御手順を表すフローチャートである。
【図７】ステップＳ２００の詳細手順を表すフローチャートである。
【図８】無線タグラベルに備えられた無線タグ回路素子のＩＣ回路部のメモリ部に記憶されたデータ内容を概念的に表す図である。
【図９】作成した設定タグを用いてアンテナユニットで読み取った無線タグ情報の送信先の設定を行う際に、リーダライタの制御回路が実行する制御手順を表すフローチャートである。
【図１０】アンテナユニットが１台である場合の変形例における無線タグ情報読み取りシステムの全体構成を表すシステム構成図である。
【図１１】アンテナユニットが１台である場合の変形例において、各ユーザが自分の設定タグを用いて共用のアンテナユニットの情報送信先の設定を行う際に、リーダライタの制御回路が実行する制御手順を表すフローチャートである。
【図１２】情報送信先の設定を解除するリセットタグを用いる場合の変形例において、設定解除用の無線タグラベルを作成する際にリーダライタの制御回路によって実行される制御手順を表すフローチャートである。
【図１３】情報送信先の設定を解除するリセットタグを用いる場合の変形例において、作成されたリセットタグに備えられた無線タグ回路素子のＩＣ回路部のメモリ部に記憶されたデータ内容を概念的に表す図である。
【図１４】情報送信先の設定を解除するリセットタグを用いる場合の変形例において、リセットタグを用いて送信先情報の初期化を行う際に、リーダライタの制御回路が実行する制御手順を表すフローチャートである。
【図１５】リセットタグの使用回数を１回に限定する場合の変形例におけるリーダライタの制御回路が実行する制御手順を表すフローチャートである。
【図１６】情報送信先が複数である場合の一例を示すための、無線タグ情報読み取りシステムの全体構成を表すシステム構成図である。
【図１７】情報送信先の設定を限定的に解除する場合の変形例において、限定解除用の無線タグラベルを作成する際にリーダライタの制御回路によって実行される制御手順を表すフローチャートである。
【図１８】作成された限定解除用のリセットタグに備えられた無線タグ回路素子のＩＣ回路部のメモリ部に記憶されたデータ内容を概念的に表す図である。
【図１９】情報送信先の設定を限定的に解除する場合の変形例において、作成した限定解除用のリセットタグを用いて送信先情報の初期化を行う際に、リーダライタの制御回路が実行する制御手順を表すフローチャートである。
【符号の説明】
【０１７０】
１            無線タグ情報読み取りシステム
１Ａ          無線タグ情報読み取りシステム
１００        ＰＣ端末（操作端末）
１５０        ＩＣ回路部
１５１        アンテナ（タグ側アンテナ）
３００        アンテナユニット
３０３        タグテープ（タグ媒体）
３０６Ｗ      アンテナ（装置側アンテナ）
３０８        搬送ローラ（搬送手段）
３１０        記憶部（読み取り情報記憶手段、振り分け先情報記憶手段）
ＲＷ          リーダライタ（無線タグ情報読み取り装置、タグラベル作成装置）
Ｔ            無線タグラベル
Ｔｏ            無線タグ回路素子
【図１】
2008134711.tif 000003
【図２】
2008134711.tif 000004
【図３】
2008134711.tif 000005
【図４】
2008134711.tif 000006
【図５】
2008134711.tif 000007
【図６】
2008134711.tif 000008
【図７】
2008134711.tif 000009
【図８】
2008134711.tif 000010
【図９】
2008134711.tif 000011
【図１０】
2008134711.tif 000012
【図１１】
2008134711.tif 000013
【図１２】
2008134711.tif 000014
【図１３】
2008134711.tif 000015
【図１４】
2008134711.tif 000016
【図１５】
2008134711.tif 000017
【図１６】
2008134711.tif 000018
【図１７】
2008134711.tif 000019
【図１８】
2008134711.tif 000020
【図１９】
2008134711.tif 000021